(57)【特許請求の範囲】
【請求項１】
１乃至複数の光源を有する１乃至複数の照明器具と、
制御対象の前記照明器具に具備された前記光源の調光制御を行い、自己の制御対象である前記照明器具に具備された前記光源の灯数に関する灯数情報が入力される灯数入力部を有する１乃至複数の調光制御部と、
前記調光制御部に対して、前記光源の調光率を示す調光信号を送信する親機と、
前記調光率と前記光源の単位個数当たりの消費電力との関係を示す電力データテーブルを記憶する記憶部と、
前記照明器具の消費電力を算出する電力算出部とを備え、
前記調光制御部は、前記親機から送信される前記調光信号に基づいて前記光源の調光制御を行い、
前記電力算出部は、前記電力データテーブルと、前記調光制御部の各々が調光制御を行う前記光源の調光率と、前記調光制御部の各々が調光制御を行う前記光源の前記灯数情報とから、前記照明器具の消費電力を算出することを特徴とする照明システム。
【請求項２】
前記親機は、前記電力算出部と前記記憶部とを備えており、
前記親機は、前記調光制御部の各々から前記灯数入力部に入力された前記灯数情報を取得し、前記電力データテーブルと、前記調光制御部の各々が調光制御を行う前記光源の調光率と、前記調光制御部の各々が調光制御を行う前記光源の前記灯数情報とから、前記照明器具の消費電力を算出することを特徴とする請求項１記載の照明システム。
【請求項３】
前記親機は、前記調光信号が示す前記調光率と前記光源に供給される電力との関係を示す調光カーブの設定信号を前記調光制御部に送信し、前記調光制御部は、前記設定信号が示す前記調光カーブに基づいて前記光源の調光制御を行い、
前記調光制御部は、前記設定信号を受信すると、前記灯数入力部に入力された前記灯数情報を前記親機に送信することを特徴とする請求項２記載の照明システム。
【請求項４】
前記照明器具は、当該光源を点灯させる点灯回路とを備え、
前記調光制御部は、複数の前記照明器具の各々に具備された前記点灯回路に対して、当該点灯回路の出力を制御する出力制御信号を信号線を介して送信することで前記光源の調光制御を行い、前記出力制御信号の送信時に前記信号線に流れる電流を計測する電流計測部を備え、前記電流計測部の計測結果に基づいて、自己が調光制御を行う前記光源を具備している前記照明器具の台数を算出し、前記灯数入力部には、自己が調光制御を行う前記光源を具備している前記照明器具１台当たりに具備された前記光源の灯数が前記灯数情報として入力されており、
前記電力算出部は、前記電力データテーブルと、前記調光制御部が算出した前記照明器具の台数と、前記調光制御部が調光制御する前記光源の調光率と、前記調光制御部が調光制御する前記光源の前記灯数情報とから、前記調光制御部が調光制御する前記光源が具備された複数の前記照明器具の消費電力を算出することを特徴とする請求項１乃至３のいずれか１項に記載の照明システム。
【請求項５】
温度を計測する温度計測部を備え、
前記電力算出部は、前記温度計測部の計測結果に基づいて、前記照明器具の消費電力を補正することを特徴とする請求項１乃至４のいずれか１項に記載の照明システム。
【請求項６】
前記光源の累積点灯時間を計測する計時部と、
前記累積点灯時間の増加に伴う前記光源の光出力の低下を抑制するように、前記累積点灯時間の増加に伴って、前記光源の調光率を増加させる初期照度補正を行う初期照度補正部とを備え、
前記調光制御部は、前記初期照度補正後の前記光源の調光率に基づいて、前記光源の調光制御を行い、
前記電力算出部は、前記電力データテーブルと、前記初期照度補正後の前記光源の調光率と、前記調光制御部が調光制御する前記光源の前記灯数情報とから、前記照明器具の消費電力を算出することを特徴とする請求項１乃至５のいずれか１項に記載の照明システム。
【発明の詳細な説明】
【技術分野】
【０００１】
本発明は、照明システムに関するものである。
【背景技術】
【０００２】
従来、複数の照明器具の調光制御を行う照明システムがある（例えば、特許文献１参照）。この照明システムは、図１２に示すように、親機１０１と、複数のセンサ１０２と、複数の調光出力部１０３と、複数の照明器具１０４とで構成されている。
【０００３】
親機１０１は、センサ１０２の検知結果に基づいて、調光信号を生成し、調光出力部１０３に送信する。調光出力部１０３は、調光信号が示す調光率となるように、照明器具１０４の光源の調光制御を行う。
【０００４】
また、親機１０１は、図１３に示すような調光率と照明器具１０４の消費電力との相関関係を示す電力データテーブルを記憶している。例えば、調光率が１００％のときは、照明器具１０４の消費電力が１００Ｗ、調光率が５０％のときは、照明器具１０４の消費電力が５０Ｗという相関関係を記憶している。そして、親機１０１は、調光出力部１０３に送信した調光信号が示す調光率から、照明器具１０４の消費電力を算出することができる。そして、各照明器具１０４の消費電力を算出し、これを総和することで、照明システム全体の消費電力を算出している。
【先行技術文献】
【特許文献】
【０００５】
【特許文献１】特開２０００−１８８１８８号公報
【発明の概要】
【発明が解決しようとする課題】
【０００６】
しかし、照明器具１０４が具備している光源の灯数によって、その照明器具１０４の消費電力が異なる。例えば、照明器具１０４が光源を２灯具備している場合、１灯具備している場合に比べて、同じ調光率でも消費電力が倍近くになる。
【０００７】
そのため、従来の照明システムでは、各照明器具１０４に具備された光源の灯数が同一である場合のみ、照明器具１０４の消費電力を算出することができた。したがって、従来の照明システムでは、照明器具１０４が具備している光源の灯数が変動した場合や、複数の照明器具１０４の各々が異なる灯数の光源を具備している場合、親機１０１は正確な照明器具１０４の消費電力を算出することができない。
【０００８】
本発明は、上記事由に鑑みてなされたものであり、その目的は、光源の灯数に関わらず、照明器具の消費電力を算出することができる照明システムを提供することにある。
【課題を解決するための手段】
【０００９】
本発明の照明システムは、１乃至複数の光源を有する１乃至複数の照明器具と、制御対象の前記照明器具に具備された前記光源の調光制御を行い、自己の制御対象である前記照明器具に具備された前記光源の灯数に関する灯数情報が入力される灯数入力部を有する１乃至複数の調光制御部と、前記調光制御部に対して、前記光源の調光率を示す調光信号を送信する親機と、前記調光率と前記光源の単位個数当たりの消費電力との関係を示す電力データテーブルを記憶する記憶部と、前記照明器具の消費電力を算出する電力算出部とを備え、前記調光制御部は、前記親機から送信される前記調光信号に基づいて前記光源の調光制御を行い、前記電力算出部は、前記電力データテーブルと、前記調光制御部の各々が調光制御を行う前記光源の調光率と、前記調光制御部の各々が調光制御を行う前記光源の前記灯数情報とから、前記照明器具の消費電力を算出することを特徴とする。
【００１０】
この照明システムにおいて、前記親機は、前記電力算出部と前記記憶部とを備えており、前記親機は、前記調光制御部の各々から前記灯数入力部に入力された前記灯数情報を取得し、前記電力データテーブルと、前記調光制御部の各々が調光制御を行う前記光源の調光率と、前記調光制御部の各々が調光制御を行う前記光源の前記灯数情報とから、前記照明器具の消費電力を算出することが好ましい。
【００１１】
この照明システムにおいて、前記親機は、前記調光信号が示す前記調光率と前記光源に供給される電力との関係を示す調光カーブの設定信号を前記調光制御部に送信し、前記調光制御部は、前記設定信号が示す前記調光カーブに基づいて前記光源の調光制御を行い、前記調光制御部は、前記設定信号を受信すると、前記灯数入力部に入力された前記灯数情報を前記親機に送信することが好ましい。
【００１２】
この照明システムにおいて、前記照明器具は、当該光源を点灯させる点灯回路とを備え、前記調光制御部は、複数の前記照明器具の各々に具備された前記点灯回路に対して、当該点灯回路の出力を制御する出力制御信号を信号線を介して送信することで前記光源の調光制御を行い、前記出力制御信号の送信時に前記信号線に流れる電流を計測する電流計測部を備え、前記電流計測部の計測結果に基づいて、自己が調光制御を行う前記光源を具備している前記照明器具の台数を算出し、前記灯数入力部には、自己が調光制御を行う前記光源を具備している前記照明器具１台当たりに具備された前記光源の灯数が前記灯数情報として入力されており、前記電力算出部は、前記電力データテーブルと、前記調光制御部が算出した前記照明器具の台数と、前記調光制御部が調光制御する前記光源の調光率と、前記調光制御部が調光制御する前記光源の前記灯数情報とから、前記調光制御部が調光制御する前記光源が具備された複数の前記照明器具の消費電力を算出することが好ましい。
【００１３】
この照明システムにおいて、温度を計測する温度計測部を備え、前記電力算出部は、前記温度計測部の計測結果に基づいて、前記照明器具の消費電力を補正することが好ましい。
【００１４】
この照明システムにおいて、前記光源の累積点灯時間を計測する計時部と、前記累積点灯時間の増加に伴う前記光源の光出力の低下を抑制するように、前記累積点灯時間の増加に伴って、前記光源の調光率を増加させる初期照度補正を行う初期照度補正部とを備え、前記調光制御部は、前記初期照度補正後の前記光源の調光率に基づいて、前記光源の調光制御を行い、前記電力算出部は、前記電力データテーブルと、前記初期照度補正後の前記光源の調光率と、前記調光制御部が調光制御する前記光源の前記灯数情報とから、前記照明器具の消費電力を算出することが好ましい。
【発明の効果】
【００１５】
以上説明したように、本発明では、光源の灯数に関わらず、照明器具の消費電力を算出することができるという効果がある。
【図面の簡単な説明】
【００１６】
【図１】本発明の実施形態１の照明システムのブロック構成図である。
【図２】調光カーブを示すグラフである。
【図３】ＰＷＭ信号の波形図である。
【図４】実施形態１の照明システムの概略構成図である。
【図５】実施形態２の照明システムのブロック構成図である。
【図６】実施形態３の調光制御部および照明器具のブロック構成図である。
【図７】実施形態４の照明器具のブロック構成図である。
【図８】累積点灯時間に応じた補正後の調光率を示すグラフである。
【図９】光出力および消費電力の温度変化を示すグラフである。
【図１０】実施形態５の照明器具のブロック構成図である。
【図１１】実施形態５の照明器具のブロック構成図である。
【図１２】従来の照明システムのブロック構成図である。
【図１３】調光率に対する光源の消費電力を示すグラフである。
【発明を実施するための形態】
【００１７】
以下、本発明の実施の形態を図面に基づいて説明する。
【００１８】
（実施形態１）
本実施形態の照明システムのブロック構成図を図１に示す。本実施形態の照明システムは、親機１と複数の照明器具２とで構成されている。
【００１９】
親機１と各照明器具２とは通信線Ｌ１で接続されており、親機１は、演算処理を行う制御部１１と、各照明器具２と通信を行う送受信部１２とを備えている。そして、親機１と各照明器具２との間でデジタル信号を送受信することでデータの授受が行われる。例えば、親機１は照明器具２に対して、光源２２の調光率を示す調光信号を送信したり、照明器具２の消費電力の要求をしたり、照明器具２の設定を行う。
【００２０】
照明器具２は、調光制御部３と、点灯回路２１と、光源２２とで構成されている。点灯回路２１は光源２２に電力を供給することで、光源２２を点灯させる。調光制御部３は、信号線Ｌ２で点灯回路２１に接続されており、親機１から送信される調光信号に基づいて、点灯回路２１の出力を制御することで、光源２２の調光制御を行う。なお、光源２２は、蛍光灯やＬＥＤ，有機ＥＬなど照明用途で用いられるものであれば種類は限定しない。
【００２１】
調光制御部３は、送受信部３１と、制御部３２と、灯数入力部３３と、調光出力部３４と、記憶部３５とで構成されており、自己が設けられている照明器具２を制御対象とする。送受信部３１は、親機１との間でデジタル信号の送受信を行う。制御部３２は、演算処理を行う。灯数入力部３３は、調光制御部３が調光制御を行う照明器具２に具備された光源２２に関する灯数情報が入力される。調光出力部３４は、ＰＷＭ信号（出力制御信号）を点灯回路２１に出力する。記憶部３５は、調光率と光源２２の１灯当たりの消費電力との相関関係を示す電力データテーブル（図１３参照）と、光源２２の光出力とＰＷＭ信号のオンデューティ比との相関関係を示す調光カーブ（図２参照）と、調光制御部３の固有アドレスとを記憶している。
【００２２】
制御部３２は、親機１から送受信部３１を介して入力される調光信号が示す調光率と、記憶部３５に記憶されている調光カーブとから、調光出力部３４が出力するＰＷＭ信号のオンデューティ比を決定する。調光カーブは、図２のＹ１〜Ｙ３に示すように、光源２２の種類やバラストの有無によってカーブが異なる。したがって、多種の光源２２に対応した調光制御部３を用いる場合、予め使用環境（光源２２の種類やバラストの有無など）に合わせた調光カーブを設定する必要がある。本実施形態では、親機１から送信される調光カーブ設定信号を受信し、この調光カーブ設定信号に基づいた調光カーブを記憶部３５に記憶することで、調光制御部３に調光カーブが設定される。また、記憶部３５に複数の調光カーブを予め記憶しておき、親機１から送信される調光カーブ設定信号に基づいて、どの調光カーブを用いるか選択するように構成してもよい。また、記憶部３５に複数の電力データテーブルを予め記憶しておき、光源２２の種類に応じて用いる電力データテーブルを選択するように構成してもよい。
【００２３】
調光出力部３４が出力するＰＷＭ信号は、図３に示すように、振幅レベルがＶのオン期間ｔ１と、振幅レベルが０のオフ期間ｔ２とを交互に周期Ｔで繰り返している。なお、周期Ｔに対するオン期間ｔ１の割合をオンデューティ比、周期Ｔに対するオフ期間ｔ２の割合をオフデューティ比とする。本実施形態では、図２に示すように、ＰＷＭ信号のオンデューティ比が増加するにつれて、光源２２に供給される電力が低減して光出力が低下するように構成されている。
【００２４】
このように、調光制御部３は、調光信号が示す調光率と調光カーブとに基づいてＰＷＭ信号のオンデューティ比を決定し、このＰＷＭ信号を点灯回路２１に出力して光源２２に供給される電力を制御することで、光源２２の調光制御を行っている。
【００２５】
次に、図４に示す本実施形態の照明システムの概略構成図を用いて、各照明器具２に具備された１乃至複数の光源２２の消費電力の和（以降、照明器具２の消費電力と称す）の算出方法を説明する。
【００２６】
図４に示すように、灯数入力部３３は、スライドスイッチで構成されており、このスライドスイッチを切り替えることで照明器具２に具備されている光源２２の灯数を灯数情報として入力することができる。例えば、照明器具２の施工時に、作業者が光源２２の灯数を確認し、スライドスイッチを切り替えて光源２２の灯数を入力すればよい。光源２２の灯数が１つの場合、スライドスイッチを左に切り替え、光源２２の灯数が２つの場合、スライドスイッチを右に切り替える。それによって、制御部３２は、自己が調光制御する光源２２の灯数を取得することできる。
【００２７】
そして、親機１が各照明器具２の消費電力のデータを取得する際は、親機１は各照明器具２に具備された調光制御部３の固有アドレス宛に電力要求信号を順次送信する。なお、図４において、親機１が各照明器具２に送信する電力要求信号をＳ１と示す。調光制御部３の制御部３２は、親機１から送信される電力要求信号を受信すると、光源２２の現在の調光率における光源２２の１灯当たりの消費電力を記憶部３５に記憶されている電力データテーブルから取得する。そして、制御部３２は、取得した光源２２の１灯当たりの消費電力と、灯数入力部３３に入力された光源２２の灯数とを乗算することで、自己が調光制御を行う照明器具２の消費電力を算出する。すなわち、制御部３２が本願発明の電力算出部としての機能を備えている。
【００２８】
そして、制御部３２は算出した照明器具２の消費電力のデータを親機１に送信する。なお、図４において、調光制御部３の制御部３２が親機１に送信する照明器具２の消費電力のデータをＳ２と示す。
【００２９】
親機１は、各照明器具２に具備された調光制御部３から、各照明器具２の消費電力のデータを取得することができる。また、取得した各照明器具２の消費電力の各々を総和することで照明システム全体の消費電力を算出することができる。
【００３０】
このように、本実施形態では、制御部３２が、電力データテーブルと、光源２２の調光率と、光源２２の灯数とから、自己が制御する照明器具２の消費電力を算出しており、光源２２の灯数が増減しても、正確な消費電力を算出することができる。また、各照明器具２に具備された光源２２の灯数が各々異なる場合であっても、正確な照明器具２の消費電力および照明システム全体の消費電力を算出することができる。
【００３１】
なお、本実施形態の灯数入力部３３はスライドスイッチで構成されているが、これに限定するものではない。例えば、切り替える数を増やしたスライドスイッチや、ボリュームスイッチでもよい。また、照明器具２にリモコン受信機能を有し、リモコンを用いて光源２２の灯数を入力してもよいし、親機１がデジタル信号を用いて光源２２の灯数を入力してもよい。
【００３２】
また、調光制御部３は、予め自己が調光制御を行う照明器具２の消費電力を算出して記憶部３５に記憶しておき、消費電力要求信号を受信した際に記憶部３５に記憶されている照明器具２の消費電力を親機１に送信するように構成してもよい。
【００３３】
（実施形態２）
本実施形態の照明システムは、親機１が電力算出部としての機能を有し、各照明器具２の消費電力を算出する。なお、実施形態１と同様の構成には、同一符号を付して説明は省略する。
【００３４】
本実施形態の照明システムのブロック構成図を図５に示す。
【００３５】
本実施形態の親機１は、調光率と光源２２の１灯当たりの消費電力との相対関係を示す電力データテーブルを記憶した記憶部１３を備えている。
【００３６】
親機１は、各照明器具２の消費電力を取得する際に、各調光制御部３に対して、所定時間毎に現在の光源２２の調光率を要求する調光率要求信号を送信する。調光制御部３は、調光率要求信号を受信すると、自己が調光制御する光源２２の現在の調光率と、灯数入力部３３に入力された光源２２の灯数とを親機１に返信する。
【００３７】
そして、親機１は、取得した光源２２の現在の調光率と電力データテーブルとから、現在の光源２２の１灯当たりの消費電力を算出し、光源２２の灯数を乗算することで、照明器具２の消費電力を算出する。また、算出した各照明器具２の消費電力を総和することで、照明システム全体の消費電力を算出することができる。
【００３８】
このように、本実施形態では、親機１が、電力データテーブルと、光源２２の調光率と、光源２２の灯数とから、各照明器具２の消費電力を算出しており、光源２２の灯数が増減しても、正確な消費電力を算出することができる。また、本実施形態では、親機１が各照明器具２の消費電力を算出することができるので、各調光制御部３は、自己が調光制御を行う照明器具２の消費電力を算出して、記憶させておく必要がない。したがって、調光制御部３の構成を簡易化することができる。
【００３９】
また、調光制御部３は、調光率要求信号を受信すると、現在の光源２２の調光率のみを親機１に返信するように構成してもよい。この場合、親機１は、予め光源２２の灯数を記憶させておく必要がある。そこで、調光制御部３に調光カーブ（図２参照）を設定するために、親機１から送信される調光カーブ設定信号を受信すると、調光制御部３は調光カーブを設定すると共に、灯数入力部３３に入力された光源２２の灯数を親機１に送信する。それによって、親機１は各調光制御部３が調光制御する光源２２の灯数を予め取得することができる。したがって、照明器具２の消費電力を算出する際には、各調光制御部３から現在の光源２２の調光率を取得すれば、各照明器具２の消費電力を算出することができる。また、親機１が消費電力を算出する際に、照明器具２は光源２２の灯数を親機１に送信する必要がないので、信号の送信回数を減らすことができる。
【００４０】
さらに、親機１が各調光制御部３に調光信号を送信する際に、この調光信号が示す調光率を記憶しておいてもよい。それによって、親機１は調光制御部３に対して調光率要求信号を送信して、各調光制御部３から調光率を取得しなくても現在の光源２２の調光率を認識することができるので、各照明器具２の消費電力を算出することができる。
【００４１】
（実施形態３）
本実施形態の調光制御部３および照明器具２のブロック構成図を図６に示す。本実施形態の照明システムは、調光制御部３が照明器具２とは別体に構成されており、調光制御部３には複数（本実施形態では３つ）の照明器具２が接続されている。なお、実施形態１と同様の構成には、同一符号を付して説明は省略する。
【００４２】
調光制御部３は、信号線Ｌ２で接続された３台の照明器具２を制御対象としている。各照明器具２は、点灯回路２１と光源２２とで構成されており、点灯回路２１は調光制御部３から送信されるＰＷＭ信号に基づいて光源２２に供給する電力を変動させる。また、各照明器具２は、互いに同数の光源２２を有している。
【００４３】
本実施形態の調光制御部３は、送受信部３１と、制御部３２と、灯数入力部３３と、調光出力部３４と、記憶部３５と、Ａ／Ｄコンバータ３６と、電流計測部３７とで構成されている。
【００４４】
調光制御部３と各照明器具２とは信号線Ｌ２で接続されており、調光出力部３４は、信号線Ｌ２を介して各照明器具２にＰＷＭ信号を送信する。なお、各照明器具２が受信するＰＷＭ信号のオンデューティ比は互いに同一となるため、各照明器具２に具備された光源２２の調光率は同一となる。
【００４５】
また、各照明器具２に具備された点灯回路２１はＰＷＭ信号を受信する際に、信号線Ｌ２から所定の電流「ｉ」を吸い込む。本実施形態では、調光制御部３に３台の照明器具２が接続され、各照明器具２が電流「ｉ」を吸い込むため、ＰＷＭ信号の送信時には信号線Ｌ２に電流「ｉ×３」が流れる。
【００４６】
電流計測部３７は、信号線Ｌ２に流れる電流を計測しており、Ａ／Ｄコンバータ３６は、電流計測部３７の計測結果をＡ／Ｄ変換して制御部３２に出力する。
【００４７】
また、記憶部３５には、信号線Ｌ２から各照明器具２に流れる所定の電流「ｉ」の電流値が記憶されている。そして、制御部３２は、電流計測部３７の計測結果「ｉ×３」を、記憶部３５に記憶されている電流値「ｉ」で除算することで、自己が調光制御する照明器具２の台数が３台であることを認識することができる。
【００４８】
また、灯数入力部３３には、照明器具２の各々が具備する光源２２の灯数が灯数情報として入力されている。
【００４９】
そして、調光制御部３は、親機１から送信される電力要求信号を受信すると、電力データテーブルと、現在の光源２２の調光率と、灯数入力部３３に入力された灯数情報と、照明器具２の台数とから、自己が調光制御する照明器具２の３台分の消費電力を算出する。そして、調光制御部３は算出した消費電力を親機１に送信し、親機１は、各調光制御部３から送信された消費電力を総和することで、照明システム全体の消費電力を算出することができる。
【００５０】
このように、本実施形態では、調光制御部３に複数の照明器具２が接続されている場合でも、照明器具２の消費電力を算出することができる。また、調光制御部３毎に異なる数の照明器具２が接続されている場合であっても、正確な消費電力を算出することができる。
【００５１】
（実施形態４）
本実施携帯の照明システムは、調光制御部３が初期照度補正機能を有しており、初期照度補正に対応した照明器具２の消費電力の算出を行う。なお、実施形態１と同様の構成には、同一符号を付して説明は省略する。
【００５２】
図７に本実施形態の調光制御部３のブロック構成図を示す。本実施形態の調光制御部３は、送受信部３１と、制御部３２と、灯数入力部３３と、記憶部３５と、調光出力部３４と、初期照度補正有無入力部３８と、計時部３９とで構成されている。
【００５３】
初期照度補正有無入力部３８は、スイッチで構成されており、光源２２に対して初期照度補正を行うか否かが入力され、計時部３９は光源２２の累積点灯時間を計測する。なお、初期照度補正有無入力部３８への入力は、リモコン受信機能を備えてリモコンを用いた入力や、親機１がデジタル信号を送信して入力する構成であってもよい。
【００５４】
光源２２は、一定の調光率で調光制御を行う場合でも、新しく累積点灯時間が短い場合は光出力が高く、累積点灯時間が増加し寿命末期に近付くに従い光出力が低下する特性を有している。そこで、累積点灯時間の増加に伴う光源２２の光出力の低下を抑制するように、累積点灯時間の増加に伴って光源２２の調光率を増加させる初期照度補正を行うことで、光源２２は累積点灯時間に関わらず安定した光出力を行うことができる。
【００５５】
本実施形態の制御部３２は、初期照度補正部としての機能を有している。そして、制御部３２は、初期照度補正有無入力部３８に初期照度補正「有」が入力されている場合は初期照度補正を行い、初期照度補正有無入力部３８に初期照度補正「無」が入力されている場合は初期照度補正を行わない。
【００５６】
本実施形態では、初期照度補正有無入力部３８に初期照度補正「有」が入力されており、制御部３２は初期照度補正を行う。以下に、親機１から調光率１００％を示す調光信号が入力される場合の初期照度補正について説明する。
【００５７】
記憶部３５には、補正前の調光率に対応させた累積点灯時間に応じた補正後の調光率を示す補正データテーブルが記憶されており、制御部３２は、この補正データテーブルに基づいて初期照度補正を行う。図８は、補正前の調光率が１００％の場合における初期照度補正後の調光率を示すグラフである。図８の破線Ｙ４は、補正前の調光率を示し、実線Ｙ５は初期照度補正後の調光率を示しており、実線Ｙ５は、累積点灯時間０から増加するに伴って調光率１００％に近付く。
【００５８】
例えば、累積点灯時間が０の場合、親機１が調光率１００％を示す調光信号を送信しても、制御部３２は初期照度補正を行い、調光率７０％を示すオンデューティ比のＰＷＭ信号を点灯回路２１に送信する。
【００５９】
そして、上記初期照度補正を行っている際に、親機１から電力要求信号が送信された場合、制御部３２は以下の方法で照明器具２の消費電力を算出する。
【００６０】
制御部３２は、調光信号が示す調光率ではなく、初期照度補正後の調光率を用いて光源２２の１灯当たりの消費電力を電力データテーブルから算出し、算出結果に光源２２の灯数を乗算することで、自己が調光制御を行う照明器具２の消費電力を算出する。そして、この算出結果を、親機１に送信する。
【００６１】
このように、本実施形態では、初期照度補正を行う場合であっても、より正確な消費電力を算出することができる。
【００６２】
なお、本実施形態では、制御部３２が初期照度補正を行っているが、点灯回路２１が初期照度機能を備えた構成であってもよい。
【００６３】
（実施形態５）
本実施形態の照明システムは、温度センサを備えており、照明器具２の消費電力を温度に基づいて補正を行う。なお、実施形態１と同様の構成には、同一符号を付して説明は省略する。
【００６４】
照明器具２は、光源２２の調光率が一定であっても、温度が変動することによって、消費電力も変動する特性を有している。図９に、光源２２の調光率に対する光源２２の光出力および１灯当たりの消費電力の温度変化のグラフを示す。例えば、常温時において、光源２２の調光率が１００％の場合、１灯当たりの消費電力が１００Ｗとする（図９のＹ６参照）。しかし、温度が上昇して８５℃になると、光源２２の調光率が１００％であっても、１灯当たりの消費電力が１００Ｗよりも高くなる（図９のＹ７参照）。また、温度が下降して５℃になると、光源２２の調光率が１００％であっても、１灯当たりの消費電力が１００Ｗよりも低くなる（図９のＹ８参照）。すなわち、照明器具２の消費電力は、温度が高くなるにつれて増加し、温度が低くなるにつれて減少する特性を有している。
【００６５】
そこで、本実施形態の調光制御部３は、温度センサ４（温度計測部）を備え、実施形態１と同様の方法で自己が調光制御を行う照明器具２の消費電力を算出し、温度センサ４の計測結果に基づいて照明器具２の消費電力の補正を行う。
【００６６】
照明器具２および調光制御部３のブロック構成図を図１０に示す。本実施形態の調光制御部３は、送受信部３１と、制御部３２と、灯数入力部３３と、記憶部３５と、調光出力部３４と、温度センサ４（温度計測部）とで構成されている。
【００６７】
調光制御部３は照明器具２と一体に構成されており、温度センサ４は、照明器具２の周囲温度を計測している。また、記憶部３５には、温度に対する１灯当たりの消費電力の変化を示す温度データテーブルを記憶している。
【００６８】
そして、親機１から送信される電力要求信号を受信すると、調光制御部３は、現在の光源２２の調光率と電力データテーブルとから、光源２２の１灯当たりの消費電力を算出する。そして、調光制御部３は、算出結果を温度データテーブルに基づいて補正し、光源２２の灯数を乗算することで、現在の温度に対応した照明器具２の消費電力を算出し、親機１に送信する。親機１は、各調光制御部３から取得した各照明器具２の消費電力を総和することで、照明システム全体の消費電力を算出する。
【００６９】
このように、本実施形態では、温度変化による照明器具２の消費電力の変動を考慮して、補正を行うことで、より正確な照明器具２の消費電力を算出することができる。
【００７０】
また、図１１に示すように、温度センサ４は調光制御部３と別体に設け、点灯回路２１および光源２２の近傍に設けられていてもよい。この場合、調光制御部３が温度センサ４から送信される検知結果を受信するセンサ入力部４１を備える。温度センサ４が、点灯回路２１および光源２２の近傍に設けられることによって、温度変動による補正精度を向上させることができる。
【符号の説明】
【００７１】
１    親機
２    照明器具
３    調光制御部
１１  制御部
１２  送受信部
２１  点灯回路
２２  光源
３１  送受信部
３２  制御部（電力算出部）
３３  灯数入力部
３４  調光出力部
３５  記憶部
【図１】
0005799222.tif 000002
【図２】
0005799222.tif 000003
【図３】
0005799222.tif 000004
【図４】
0005799222.tif 000005
【図５】
0005799222.tif 000006
【図６】
0005799222.tif 000007
【図７】
0005799222.tif 000008
【図８】
0005799222.tif 000009
【図９】
0005799222.tif 000010
【図１０】
0005799222.tif 000011
【図１１】
0005799222.tif 000012
【図１２】
0005799222.tif 000013
【図１３】
0005799222.tif 000014